(57)【要約】【課題】あらかじめプリセットされているキーを減らすことで表示部を小さくし、かつ、様々な顧客の注文形態に併せて迅速な商品登録ができる。【解決手段】商品登録装置は、商品データを商品毎に記憶する商品記憶手段と、キー入力により特定された商品の商品データを表示する表示手段と、商品に関連して設定された選択情報を記憶する選択情報記憶手段と、キー入力により特定された商品に選択情報が設定されているか否かを判断する判断手段と、選択情報が設定されていると判断されたとき、表示部に表示された商品データ近傍に選択情報を選択可能に表示する制御手段と、表示された選択情報が選択されると、選択された選択情報に基づいて商品の登録を行う登録手段と、を備えていることを特徴とする。【選択図】図１
2010049566.tif 000002
【特許請求の範囲】
【請求項１】
商品を表示部からのキー入力により特定し、該特定された商品を登録する商品登録装置において、
商品に関する商品データを商品毎に記憶する商品記憶手段と、
前記キー入力により特定された商品の商品データを表示する表示手段と、
商品に関連して設定された選択情報を記憶する選択情報記憶手段と、
前記キー入力により特定された商品に選択情報が設定されているか否かを前記選択情報記憶手段に基づいて判断する判断手段と、
前記判断手段により選択情報が設定されていると判断されたとき、前記表示部に表示された商品データ近傍に前記選択情報を選択可能に表示する制御手段と、
前記表示された選択情報が選択されると、選択された選択情報に基づいて該商品の登録を行う登録手段と、
を備えていることを特徴とする商品登録装置。
【請求項２】
前記制御手段は、一取引において選択情報が設定されている商品が、選択情報が未選択のままで複数キー入力されたとき、該商品のうちいずれか１つの商品データ近傍に該商品の選択情報を表示し、該選択情報が選択されると、該選択情報を非表示にして、他の前記選択情報が設定されている商品のうちいずれか１つの商品データ近傍に該商品の選択情報を表示することを特徴とする請求項１に記載の商品登録装置。
【請求項３】
選択情報を表示する商品を選択する選択情報移動手段を備え、
前記制御手段は、前記選択情報移動手段により選択された商品の商品データ近傍に該商品の選択情報を表示する
ことを特徴とする請求項１または２に記載の商品登録装置。
【請求項４】
キー入力された商品のうち選択情報が未選択である商品を判断する未選択商品判断手段を備え、
前記表示手段は、前記未選択商品判断手段により選択情報が未選択である商品と判断された商品と、それ以外の商品とを視覚的に識別可能なよう商品データを表示する
ことを特徴とする請求項１から３いずれか１の項に記載の商品登録装置。
【請求項５】
登録された商品に選択情報が未選択である商品が含まれるか否かを判断し、未選択商品が含まれていると判断される場合に、登録を終了する宣言キーが押下されると、選択情報が未選択である商品が含まれる旨を示すエラー情報を前記表示部に表示するエラー表示手段を備えることを特徴とする請求項４に記載の商品登録装置。
【請求項６】
前記制御手段は、前記エラー表示手段によりエラー情報が表示されると、選択情報が未選択である商品の商品データ近傍に該商品の選択情報を表示することを特徴とする請求項５に記載の商品登録装置。
【請求項７】
前記制御手段は、複数の選択情報が設定されている商品が登録された場合には、いずれか１つの選択情報を表示し、当該選択情報が選択されると、次の選択情報を表示することを特徴とする請求項１から６いずれか１の項に記載の商品登録装置。
【発明の詳細な説明】
【技術分野】
【０００１】
本発明は、買上商品を登録する商品登録装置に関する。
【背景技術】
【０００２】
従来から、ＰＯＳ（Ｐｏｉｎｔ  ｏｆ  Ｓａｌｅｓ）端末等の商品登録装置では、表示部のタッチパネル上にプリセットキーを表示して商品登録をできるようになっている。従来の商品登録装置では、同じ商品であってもサイズ等が異なる（例えば、Ｓ，Ｍ，Ｌ等）場合には、別商品として扱いそれぞれ別のプリセットキーを割り当てていた。このため、プリセットキーの数が必要以上に多くなり、表示部を大きくする必要があった。また、プリセットキーの数が多くなると不慣れなオペレータは商品を探すのに時間を要し、作業効率が良くない、という問題があった。
【０００３】
そして該問題に対し、特許文献１に記載の商品登録装置では、サイズ選択のある商品が入力されると、サイズ入力キーが表示されるので、商品のサイズ毎にプリセットキーを割り当てる必要がなくなるので、プリセットキーの数を減らすことができる。
【特許文献１】特開平７−１６８９８０号公報
【発明の開示】
【発明が解決しようとする課題】
【０００４】
しかしながら、特許文献１に記載された商品登録装置では、サイズ選択のある商品が登録され、表示された商品のサイズを入力しなければ次の商品を入力できない。
このため、顧客がサイズ選択のある複数の商品（例えばブレンド、アイスコーヒー、ココア）をサイズ指定せずに続けて注文した場合には、店員は例えば顧客が最初に注文した商品から順にサイズを確認するために「ブレンドのサイズはいかがしますか？」と聞き返さなければならない。しかし、特に注文数が多い場合には、オペレータが顧客の注文した商品（本例では、ブレンドの他にアイスコーヒー、ココア）を覚えていないことがある。この場合には、オペレータは再度注文を聞き返さなければならず、スムーズな商品登録作業ができない。
実際のカフェ等では、上述したように複数の商品名だけを初めに注文する顧客や、商品とサイズを対応付けて（例えば、ブレンドのＳ，アイスコーヒーのＭ，ココアのＳなど）注文する顧客などがおり、顧客の注文形態は様々である。
しかしながら、特許文献１に記載された商品登録装置では、常に一品毎サイズを入力しなければ次の商品の入力ができないため、顧客の様々な注文形態に合わせて迅速に商品登録をすることができない、という問題があった。
【０００５】
本発明は上記の点に鑑みてなされたものであり、その目的は、あらかじめプリセットされているキーを減らすことで表示部を小さくし、かつ、様々な顧客の注文形態に併せて迅速な商品登録ができる商品登録装置を提供することにある。
【課題を解決するための手段】
【０００６】
本発明は上記の課題を解決するためになされたものであり、本発明の一態様は、商品を表示部からのキー入力により特定し、該特定された商品を登録する商品登録装置において、商品に関する商品データを商品毎に記憶する商品記憶手段と、前記キー入力により特定された商品の商品データを表示する表示手段と、商品に関連して設定された選択情報を記憶する選択情報記憶手段と、前記キー入力により特定された商品に選択情報が設定されているか否かを前記選択情報記憶手段に基づいて判断する判断手段と、前記判断手段により選択情報が設定されていると判断されたとき、前記表示部に表示された商品データ近傍に前記選択情報を選択可能に表示する制御手段と、前記表示された選択情報が選択されると、選択された選択情報に基づいて該商品の登録を行う登録手段と、を備えていることを特徴とする商品登録装置である。なお、商品データとは、商品名や値段等を含む。
【０００７】
この発明によれば、選択情報が商品名等の商品データ近傍に表示されるので、選択情報の選択をすることなく次の商品の登録を行った場合でも、表示されている選択情報の選択が可能になる。このため、例えば、顧客が選択情報を指定せずに商品名だけを先に複数注文した場合には、オペレータは、それぞれの商品の選択情報を入力する前に注文された商品を全て入力することができ、また、商品に続けて選択情報を言って注文する顧客に対しては該商品の入力に続いて選択情報が選択できるようになる。つまり、顧客の注文の仕方に応じて登録操作をあわせることができるので、どのような注文形態に対してもスムーズな登録操作が可能になる。また、商品を選択情報毎に分けてキーを割り振る必要がないため、表示部を小さくすることができる。
【０００８】
また、本発明の一態様は、上記の商品登録装置において、前記制御手段は、一取引において選択情報が設定されている商品が、選択情報が未選択のままで複数キー入力されたとき、該商品のうちいずれか１つの商品データ近傍に該商品の選択情報を表示し、該選択情報が選択されると、該選択情報を非表示にして、他の前記選択情報が設定されている商品のうちいずれか１つの商品データ近傍に該商品の選択情報を表示することを特徴とする。
【０００９】
この発明によれば、一取引において選択情報が設定されている商品が複数入力された場合であっても、１つの商品についての選択情報のみが表示される。そして、その選択情報が選択されると、その選択情報が非表示になり、次の商品の選択情報が表示される。このため、少ない表示領域で確実に選択情報を表示することができ、且つ、選択情報が未選択の商品に対しても容易に選択情報を選択できる。
【００１０】
また、本発明の一態様は、上記の商品登録装置において、選択情報を表示する商品を選択する選択情報移動手段を備え、前記制御手段は、前記選択情報移動手段により選択された商品の商品データ近傍に該商品の選択情報を表示する
ことを特徴とする。
【００１１】
この発明によれば、選択情報を選択するための商品を任意に選択することができるので、例えば顧客へ選択情報を確認する場合においても操作性が良くなる。
【００１２】
また、本発明の一態様は、上記の商品登録装置において、キー入力された商品のうち選択情報が未選択である商品を判断する未選択商品判断手段を備え、前記表示手段は、前記未選択商品判断手段により選択情報が未選択である商品と判断された商品と、それ以外の商品とを視覚的に識別可能なよう商品データを表示することを特徴とする。
【００１３】
この発明によれば、選択情報が既入力の商品と未入力の商品とが視覚的に識別されて表示されるので、どの商品が未だ選択情報を選択していないかが容易に判別することができる。
【００１４】
また、本発明の一態様は、上記の商品登録装置において、登録された商品に選択情報が未選択である商品が含まれるか否かを判断し、未選択商品が含まれていると判断される場合に、登録を終了する宣言キーが押下されると、選択情報が未選択である商品が含まれる旨を示すエラー情報を前記表示部に表示するエラー表示手段を備えることを特徴とする。
【００１５】
この発明によれば、選択情報が未選択である商品があるにも関わらず、誤って登録を終了する操作がされた場合であっても、選択情報が未入力の商品がある旨を示すエラーが表示されるので、不完全な情報のまま商品登録がされてしまうことを防止することができる。
【００１６】
また、本発明の一態様は、上記の商品登録装置において、前記制御手段は、前記エラー表示手段によりエラー情報が表示されると、選択情報が未選択である商品の商品データ近傍に該商品の選択情報を表示することを特徴とする。
【００１７】
この発明によれば、選択情報が未選択である商品の商品データ近傍に前記選択情報を表示するため、容易に未選択の商品を判別することができる。また、操作性が向上する。
【００１８】
また、本発明の一態様は、上記の商品登録装置において、前記制御手段は、複数の選択情報が設定されている商品が登録された場合には、いずれか１つの選択情報を表示し、当該選択情報が選択されると、次の選択情報を表示することを特徴とする。
【００１９】
この発明によれば、１つの商品に複数の選択情報が設定されている場合、１つの選択情報が選択されると次の選択情報が表示されるので、複数の選択情報が１つの商品に設定されていたとしても選択漏れを防止することができる。
【発明の効果】
【００２０】
本発明によれば、選択情報が商品名等の商品データ近傍に表示されるので、選択情報の選択をすることなく次の商品の登録を行った場合でも、表示されている選択情報の選択が可能になる。このため、例えば、顧客が選択情報を指定せずに商品名だけを先に複数注文した場合には、オペレータは、それぞれの商品の選択情報を入力する前に注文された商品を全て入力することができ、また、商品に続けて選択情報を言って注文する顧客に対しては該商品の入力に続いて選択情報が選択できるようになる。つまり、顧客の注文の仕方に応じて登録操作をあわせることができるので、どのような注文形態に対してもスムーズな登録操作が可能になる。また、商品を選択情報毎に分けてキーを割り振る必要がないため、表示部を小さくすることができる。
【発明を実施するための最良の形態】
【００２１】
以下、図面を参照しながら本発明の実施形態について詳しく説明する。
図１は、本発明の一実施形態による商品登録装置１の外観斜視図（ａ）および側面図（ｂ）である。
商品登録装置１は、来店客が買い上げる商品の登録および精算を行うための装置であり、小売店などで使用される。図１において、店員用表示器１８（表示部）は、モード切替、設定、登録等の操作と表示を行う。店員用表示器１８の表示面には、透明な接点スイッチであるタッチキーが設けられているタッチパネルが備えられている。メカキーからなる入力キー１７は、テンキーや登録用ファンクションキー、小計キー、現計キー等を含む。顧客側表示器１９は、顧客に対して品名や値段の表示を行う。顧客側表示器１９は、ＬＥＤ（発光ダイオード）や液晶ディスプレイ等を用いた発光型の表示デバイスであり、例えば７セグメント表示やドット表示によって数字などをその表面に発光して表示させる。印字部２３はレシートを発行して排出させる機能を持ち、その排出部の奥にレシート及びジャーナルプリンタが設けられている。
【００２２】
図２は図１に示した商品登録装置１に内蔵される電気回路構成を示す系統ブロック図である。
この図において、ＣＰＵ２７は、装置全体の制御や演算処理を行う。ＨＤＤ（ハードディスク）２８はＣＰＵ２７の実行プログラムや商品ファイル、キーファイル、実績ファイル等の各種ファイルデータを記憶する。ＲＡＭ２９はＣＰＵ２７が制御、演算を行うためのワークエリアとして使われる。ＨＤＤ２８に格納された実行プログラムは、商品ファイルやキーファイルとともに商品登録装置１の起動時にＲＡＭ２９に書き込まれる。これにより、ＣＰＵ２７は各部の駆動制御が可能になる。時計部２５は、月．日．時．及び分を計時して、ＣＰＵ２７へ供給する。ブザー４４は、ＣＰＵ２７からの指示に従ってブザー音を発生させる。通信部３０は、ＬＡＮ（Ｌｏｃａｌ  Ａｒｅａ  Ｎｅｔｗｏｒｋ）を介した通信によって外部（例えば、ストアコントローラ）とデータ交換を行う。
なお、ＣＰＵ２７、ＨＤＤ２８、ＲＡＭ２９、店員用表示器１８、顧客側表示器１９、入力キー１７、ブザー４４、印字部２３、時計部２５及び通信部３０は、バスを介して接続されており相互に通信可能となっている。又、不図示のドロアと接続するための接続部を有する。
【００２３】
図３は、本実施形態における商品ファイルのデータ構造及びデータ例を示す概略図である。
図示するように、商品ファイル（商品記憶手段、選択情報記憶手段）は、行と列からなる２次元の表形式のデータであり、商品番号と、品名と、通常価格と、特売価格と、サイズフラグの各項目の列を有している。商品ファイルの各行は商品番号毎に存在する。商品データとしては、商品番号と、品名と、通常価格と、特売価格等からなる。
商品番号は、各商品に与えられた一意のコード（数字列または文字列）であり、商品番号により商品種別を識別することができる。品名は、商品の品名である。通常価格は、通常モード時の販売価格である。特売価格は、感謝モード時の販売価格である。なお、通常モード及び感謝モードは、商品登録装置１に設定され得るモードであり、商品登録装置１の電源投入後に店員用表示器１８に表示されるモード選択画面にて選択される。サイズフラグは商品にサイズ情報があるか否かを示すフラグである。本実施形態では、Ｓ，Ｍ，Ｌ等の選択するサイズがサイズ情報（選択情報）である。サイズフラグ「０」はサイズ情報がないことを表わしており、サイズフラグ「１」はサイズ情報があることを表す。また、サイズ情報がある商品には、通常価格項目及び特売価格項目にサイズ情報項目（Ｓ，Ｍ，Ｌ）が含まれており、各項目の価格が設定されている。
【００２４】
図示するデータ例では、商品番号「１１１１１」（品名「ブレンド」）、商品番号「１１１１２」（品名「アイスコーヒー」）及び商品番号「１１１１３」（品名「カフェオレ」）は、サイズフラグが「１」であり、通常価格及び特売価格にサイズ情報項目（Ｓ，Ｍ，Ｌ）が含まれている。一方、商品番号「１１１１５」（品名「ホットドック」）は、サイズフラグが「０」であり、サイズ情報項目はない。
【００２５】
図４は、本実施形態におけるキーファイルのデータ構造及びデータ例を示す概略図である。
この図に示すキーファイルは、店員用表示器１８に表示する画面の内容を表わす情報を保持する。図示するように、キーファイルは、キー番号と、機能番号と、データ、名称と、色データの各項目の列を有している。物理的に存在するすべてのキーに割り付けた番号がキー番号であり、画面毎にも異なるキー番号がついている。キー番号は、表示画面において、若い順に左上端から始まって右に進み、次に下の行に進むようになっている。
【００２６】
キーデータとしては、キー番号、機能番号（ここで３６はプリセットキーを意味するように予め機能毎に番号付けしてある）、データ（プリセットキーの場合には商品番号等、というようにキーが機能する際に参照するデータのこと）、名称（キー上に表示する文字）、キーを色表示するための色データ等からなる。
【００２７】
図５は、本実施形態における買上データのデータ構造を示す概略図である。
買上データは、一取引中に買上商品を一つ登録する毎にＲＡＭ２９に順次記憶されるデータである。図示するように、買上データは、行番号と、商品番号と、個数と、サイズ情報の各項目の列を有している。買上データの各行は、行番号毎に存在する。行番号は、注文入力が行われた順番に付与される番号である。商品番号は、注文入力が行われた商品の商品番号である。個数は、当該商品の注文個数である。サイズ情報は、当該商品のサイズ情報である。図示する例では、サイズ情報項目において「１」はサイズＳを表わす。また、「２」はサイズＭを表わす。また、「３」はサイズＬを表わす。また、「０」はサイズ情報なしを表わす。また、「−」はサイズ情報が未入力であることを表わす。そして、商品登録装置１は、一取引を終了する締め操作が実行されたとき、該買上データに基づき、取引合計金額を算出する。
【００２８】
図６は、本実施形態における店員用表示器１８上に表示される登録画面例である。
この図の画面のプリセットキーエリア１０１には６行５列のプリセットキーが設けられている。商品登録装置１は、キーファイルの内容に基づきプリセットキーエリア１０１にそれぞれのキーを表示する。プリセットキーが押下されると、その商品の品名、金額等が買上データエリア１０２の入力欄１０３に表示されるようになっている。また、買上データ欄１０４には、登録された商品の商品名等の商品データが順次表示される。買上データ欄１０４の各行には１行目から順に行番号が設定されている。商品登録装置１は、買上データの内容を買上データ欄１０４に表示している。また、価格エリア１０５には、登録された商品の単価、個数、金額が表示される。また、精算データエリア１０６には、合計金額、お預かり金額、釣銭金額が表示される。
【００２９】
次に、図７を参照して、上述した本実施形態の商品登録装置１の動作を説明する。図７は、本実施形態における商品登録装置１の動作の手順を示すフローチャートである。この図に示す処理は、図６に示す登録画面にて買上商品の登録をするときの動作である。
【００３０】
まず、ステップＳ１では、商品登録装置１の操作者であるオペレータにより商品に対応するプリセットキーがタッチされ、商品登録装置１は買上商品の入力を受け付ける。
次に、ステップＳ２では、ＣＰＵ２７は、入力欄１０３及び買上データ欄１０４に、入力された商品の商品名及び買上個数を表示する。つまり、ＣＰＵ２７は、キー入力により特定された商品の商品データを上から順次別の行として表示するよう制御する。また、ＣＰＵ２７は、入力された商品に対応する商品番号、買上個数及びサイズ情報「−」を買上データに追加させる。
【００３１】
次に、ステップＳ３では、ＣＰＵ２７は、商品ファイルを参照して入力された商品のサイズフラグが設定されているか、つまり「１」であるか否かを判定する。サイズフラグが「１」である場合には、ステップＳ４に進む。一方、サイズフラグが「０」である場合には、ステップＳ５に進む。つまり、ＣＰＵ２７（判断手段）は、キー入力により特定された商品に選択情報が設定されているか否かを判定する。
【００３２】
ステップＳ４では、ＣＰＵ２７は、入力された商品のサイズ入力表示を当該商品の対応位置に表示する。サイズ入力表示は、サイズ情報であるサイズ（Ｓ，Ｍ，Ｌ）を入力するためのキーである。また、対応位置は、買上データ欄１０４上で当該商品が表示されている行直下の価格エリア１０５内である。また、ＣＰＵ２７は、サイズ入力表示が表示されている商品の表示色を所定の色に変更する。この色は予め商品登録装置１に設定されている。
なお、ＣＰＵ２７は、既にサイズ入力表示が表示されている場合には、そのサイズ入力表示を非表示にする。つまり、ＣＰＵ２７（制御手段）は、表示された選択情報が未選択のままで入力された次の商品に選択情報が設定されている場合には、表示された選択情報を非表示にして、次の商品の商品データが表示される行直下（商品データ近傍）に次の商品の選択情報を選択可能に表示する。
また、ＣＰＵ２７は、買上データを参照してサイズ未入力の商品が有るか否かを判定する。そして、サイズ未入力の商品がある場合には、その商品の表示色を他の行と異なる色で表示させる。つまり、ＣＰＵ２７は、選択情報が未選択である商品と、それ以外の商品とを視覚的に識別可能なよう商品データを表示する。
【００３３】
一方、ステップＳ５では、選択情報が当該商品に設定されていないので、ＣＰＵ２７は、入力された商品の登録を確定する。具体的には、ＣＰＵ２７は、当該商品に対応する買上データのサイズ情報に「０」を記録する。
【００３４】
次に、ステップＳ６では、ＣＰＵ２７は、ステップＳ４で表示したサイズ入力表示からサイズが入力されたか否かを判定する。サイズが入力された場合にはステップＳ７へ進む。一方、サイズが入力されていない場合には、ステップＳ１０へ進む。つまり、ＣＰＵ２７（許可手段）は、表示された選択情報が未選択のままで次の商品のキー入力を許可する。
つまり、ＣＰＵ２７（許可手段）は、前記表示された選択情報が未選択の状態において商品のキー入力あるいは選択情報の選択を受け付け可能にし、商品のキー入力がされた場合、該キー入力に基づいて前記表示手段に表示を行わせて次の商品の登録へ進み、選択情報の選択がされた場合、該選択された選択情報に基づいて前記登録手段に該商品の登録を行わせる。
【００３５】
ステップＳ７では、ＣＰＵ２７は、サイズが入力された商品の登録を確定する。つまり、ＣＰＵ２７（登録手段）は、表示された選択情報が選択されると、選択された選択情報に基づいて当該商品の登録を行う。具体的には、ＣＰＵ２７は、当該商品に対応する買上データのサイズ情報に入力されたサイズを記録する。また、ＣＰＵ２７は、表示されているサイズ入力表示を非表示にする。
【００３６】
次に、ステップＳ８では、ＣＰＵ２７は、買上データを参照してサイズ未入力の商品が有るか否かを判定する。サイズ未入力の商品がある場合には、ステップＳ９へ進む。一方、サイズ未入力の商品がない場合には、ステップＳ１０へ進む。
ステップＳ９では、ＣＰＵ２７は、サイズ未入力の商品の対応位置に当該商品のサイズ入力表示を表示する。つまり、ＣＰＵ２７（制御手段）は、表示されていた選択情報が選択されると、その選択情報を非表示にして、他の選択情報が設定されている商品のいずれか１の商品データ近傍に該商品の選択情報を表示する。
【００３７】
一方、ステップＳ１０では、ＣＰＵ２７は、次の買上商品が入力されたか否かを判定する。買上商品が入力された場合には、ステップＳ２へ戻る。一方、買上商品が入力されていない場合には、ステップＳ１１へ進む。
【００３８】
次に、ステップＳ１１では、ＣＰＵ２７は、入力キー１７の小計キー（登録を終了する宣言キー）が押下されたか否かを判定する。小計キーが押下された場合には、ステップＳ１２へ進む。一方、小計キーが押下されていない場合には、ステップＳ６へ戻る。
【００３９】
次に、ステップＳ１２では、ＣＰＵ２７は、買上データを参照して全ての商品がサイズ入力済みか否かを判定する。全てサイズ入力済みの場合には、ステップＳ１４へ進む。一方、サイズ未入力の商品があれば、ステップＳ１３へ進む。
【００４０】
ステップＳ１３では、ＣＰＵ２７は、サイズ未入力商品が含まれる旨を示すエラー画面を表示して、ステップＳ６へ戻る。つまり、ＣＰＵ２７（エラー表示手段）は、選択情報が未選択である商品がある際に登録を終了する宣言キーが押下されると、選択情報が未選択である商品が含まれる旨を示すエラー情報を表示部に表示する。またこの時、ＣＰＵ２７は、サイズ未入力商品の対応位置にサイズ入力表示を表示し、該商品に対応する行を他の行と異なる色で表示させる。つまり、ＣＰＵ２７（制御手段）は、選択情報が未選択である商品の商品データ近傍に当該商品の選択情報を表示すると共に、未選択であることを強調するため該当する行をサイズ入力済商品の行と区別して表示させる。
【００４１】
一方、ステップＳ１４では、ＣＰＵ２７は、登録された商品の合計金額を顧客側表示器１９及び店員用表示器１８に表示する。
ステップＳ１５では、ＣＰＵ２７は、預かり金額が置数されると、釣銭額を算出して顧客側表示器１９及び店員用表示器１８に表示する。そして、ＣＰＵ２７は、例えばレシート発行や釣銭払い出しなどの精算処理を行い一取引分の処理を終了する。
【００４２】
［具体例１］
次に、商品登録装置１の登録処理の具体例を図８及び図９を参照して説明する。
図８は、本実施形態における買上データエリア１０２の表示例である。図９は、本実施形態における買上データのデータ例である。この図に示す例は、商品名を先に複数入力してから、それぞれのサイズを入力する例である。
【００４３】
顧客がサイズを指定せずにブレンド、アイスコーヒー及びカフェオレを注文すると、オペレータはまずブレンドに対応するプリセットキーをタッチする（上述したステップＳ１に対応）。すると、商品登録装置１は、上述したステップＳ２からＳ４の処理を行い、図９（ａ）に示す買上データを生成する。図９（ａ）に示す買上データの行番号１には、ブレンドの商品番号「１１１１１」、個数「１」、サイズ情報「−」が記録されている。そして、ＣＰＵ２７は、買上データを参照して図８（ａ）に示す画面を表示する。図８（ａ）では、入力欄１０３と買上データ欄１０４の１行目に商品名「ブレンド」とその個数「１」が表示されている。この時、ＣＰＵ２７は、買上データ欄１０４のブレンドが表示されている行（１行目）直下にサイズ入力表示２０１を表示する。
【００４４】
次に、オペレータは、アイスコーヒーに対応するプリセットキーをタッチする。すると、商品登録装置１は、ステップＳ１０でＹＥＳに分岐して、ステップＳ２からＳ４の処理を行う。この時、ＣＰＵ２７は、買上データの行番号２に、アイスコーヒーの商品番号「１１１１２」、個数「１」、サイズ情報「−」を記録する（図９（ｂ））。そして、ＣＰＵ２７は、買上データを参照して図８（ｂ）に示す画面を表示する。図８（ｂ）では、買上データ欄１０４の２行目に商品名「アイスコーヒー」とその個数「１」が表示されている。また、買上データ欄１０４のブレンドが表示されている欄の表示色が変更されている。また、サイズ入力表示２０１は、アイスコーヒーが表示されている行（２行目）直下に表示されている。
【００４５】
次に、オペレータは、カフェオレに対応するプリセットキーをタッチする。すると、商品登録装置１は、ステップＳ１０でＹＥＳに分岐して、ステップＳ２からＳ４の処理を行う。この時、ＣＰＵ２７は、買上データの行番号３に、カフェオレの商品番号「１１１１３」、個数「１」、サイズ情報「−」を記録する（図９（ｃ））。そして、ＣＰＵ２７は、買上データを参照して図８（ｃ）に示す画面を表示する。図８（ｃ）では、買上データ欄１０４の３行目に商品名「カフェオレ」とその個数「１」が表示されている。また、買上データ欄１０４のアイスコーヒーが表示されている欄の表示色が変更されている。また、サイズ入力表示２０１は、カフェオレが表示されている行（３行目）直下に表示されている。
【００４６】
次に、オペレータは、サイズ入力表示２０１からカフェオレのサイズを確認し入力する。すると、商品登録装置１は、上述したステップＳ６にてＹＥＳに分岐し、ステップＳ７からＳ９の処理を行い、買上データの行番号３に対応するサイズ情報を「１（サイズＳ）」にする（図９（ｄ）参照）。そして、ＣＰＵ２７は、買上データを参照して図８（ｄ）に示す画面を表示する。この時、ＣＰＵ２７は、商品ファイルを参照してカフェオレの商品番号「１１１１３」に対応するサイズＳの通常価格「２００」を読み出す。そして、ＣＰＵ２７は、買上データ欄１０４の３行目に商品名「Ｓ・カフェオレ」、単価「２００」、個数「１」、金額「２００」を表示する。また、ＣＰＵ２７は、サイズ入力表示２０１を２行目直下に移動する。
【００４７】
次に、オペレータは、サイズ入力表示２０１からアイスコーヒーのサイズを入力する。すると、商品登録装置１は、上述したステップＳ６にてＹＥＳに分岐し、ステップＳ７からＳ９の処理を行い、買上データの行番号２に対応するサイズ情報を「１（サイズＳ）」にする（図９（ｅ）参照）。そして、ＣＰＵ２７は、買上データを参照して図８（ｅ）に示す画面を表示する。この時、ＣＰＵ２７は、商品ファイルを参照してアイスコーヒーの商品番号「１１１１２」に対応するサイズＳの通常価格「２００」を読み出す。そして、ＣＰＵ２７は、買上データ欄１０４の２行目に商品名「Ｓ・アイスコーヒー」、単価「２００」、個数「１」、金額「２００」を表示する。そして、ＣＰＵ２７は、サイズ入力表示２０１を１行目直下にシフトする。
【００４８】
次に、オペレータは、サイズ入力表示２０１からアイスコーヒーのサイズを入力する。すると、商品登録装置１は、上述したステップＳ６にてＹＥＳに分岐し、ステップＳ７からＳ８の処理を行い、買上データの行番号１に対応するサイズ情報を「１（サイズＳ）」にする（図９（ｆ）参照）。そして、ＣＰＵ２７は、図８（ｆ）に示す画面を表示する。このとき、ＣＰＵ２７は、商品ファイルを参照してブレンドの商品番号「１１１１１」に対応するサイズＳの通常価格「２００」を読み出す。そして、ＣＰＵ２７は、買上データ欄１０４の１行目に商品名「Ｓ・ブレンド」、単価「２００」、個数「１」、金額「２００」を表示する。そして、ＣＰＵ２７は、サイズ入力表示２０１を非表示にする。
【００４９】
このように、サイズ指定せずに商品名のみを注文された場合であっても、登録操作をスムーズに行うことができる。また、サイズ未入力の商品の表示色を変えることで視覚的に識別可能なようしているため、店員はサイズ未入力商品があることが容易に判断できる。
【００５０】
また、サイズ入力表示２０１を任意の行へ移動させることも可能である。具体的には、買上データ欄１０４の商品名が表示されている欄をタッチすることで、サイズ入力表示２０１の移動先の行を指定し、該サイズ入力表示２０１の移動を指示することができる。例えば、図８（ｃ）の状態からブレンドが表示されている欄がタッチされると、ブレンドの行（１行目）が選択され、商品登録装置１は、ブレンドの行（１行目）直下にサイズ入力表示２０１を移動させる。つまり、タッチパネル（選択情報移動手段）は、選択情報を表示する商品を選択する。そして、ＣＰＵ２７（制御手段）は、選択された行近傍に選択された商品の選択情報を表示する。これにより、顧客のトークに合わせてカフェオレやアイスコーヒーのサイズ入力よりも先に、ブレンドのサイズ入力をすることができる。
また、本例では、図８（ｂ）に示すように、サイズ入力表示２０１が表示されているアイスコーヒーと、サイズ入力表示２０１が表示されていないがサイズ未入力であるブレンドとを異なる色で示しているが、例えば、サイズ未入力とサイズ既入力の商品とで色を異ならせるようにしても良い。
【００５１】
［具体例２］
次に、商品登録装置１の登録処理の別の具体例を図１０及び図１１を参照して説明する。
図１０は、本実施形態における買上データエリア１０２の表示例である。図１１は、本実施形態における買上データのデータ例である。この図に示す例は、３人の顧客からなるグループの注文を１人ずつ別々に受け付ける例で、各人が商品の注文の次に商品のサイズをオペレータに伝えている例である。
【００５２】
まず、１人目の顧客からブレンドのＳが注文されると、オペレータはブレンドに対応するプリセットキーをタッチする（上述したステップＳ１に対応）。すると、商品登録装置１は、上述したステップＳ２からＳ４の処理を行い、図１１（ａ）に示す買上データを生成する。図１１（ａ）に示す買上データの行番号１には、ブレンドの商品番号「１１１１１」、個数「１」、サイズ情報「−」が記録されている。そして、ＣＰＵ２７は、買上データを参照して図１０（ａ）に示す画面を表示する。図１０（ａ）では、入力欄１０３と買上データ欄１０４の１行目に商品の品名「ブレンド」とその個数「１」が表示されている。この時、ＣＰＵ２７は、買上データ欄１０４のブレンドが表示されている行（１行目）直下にサイズ入力表示２０１を表示する。
なお、商品販売装置１は、プリセットキーから商品が選択されると、自動的に個数を１にする。オペレータは、個数を変更したい場合には、入力キー１７の数字キーで置数する。
【００５３】
次に、オペレータはブレンドのサイズＳをサイズ入力表示２０１から入力する。すると、商品登録装置１は、上述したステップＳ６にてＹＥＳに分岐し、ステップＳ７からＳ８の処理を行い、買上データの行番号１に対応するサイズ情報を「１（サイズＳ）」にする（図１１（ｂ）参照）。そして、ＣＰＵ２７は、買上データを参照して図１０（ｂ）に示す画面を表示する。この時、ＣＰＵ２７は、商品ファイルを参照してブレンドの商品番号「１１１１１」に対応するサイズＳの通常価格「２００」を読み出す。そして、ＣＰＵ２７は、買上データ欄１０４の１行目に商品名「Ｓ・ブレンド」、単価「２００」、個数「１」、金額「２００」を表示する。また、ＣＰＵ２７は、サイズ入力表示２０１を消去する。
【００５４】
次に、２人目の顧客からブレンドのＳが注文されると、オペレータはブレンドに対応するプリセットキーをタッチする。すると、商品登録装置１は、上述したステップＳ１０でＹＥＳに分岐してステップＳ２からＳ４の処理を行い、買上データの行番号２にブレンドの商品番号「１１１１１」、個数「１」、サイズ情報「−」を記録する（図１１（ｃ）参照）。そして、ＣＰＵ２７は、買上データを参照して図１０（ｃ）に示す画面を表示する。図１０（ｃ）では、入力欄１０３と買上データ欄１０４の２行目に商品の品名「ブレンド」とその個数「１」が表示されている。このとき、ＣＰＵ２７は、買上データ欄１０４の２行目直下にサイズ入力表示２０１を表示する。
【００５５】
次に、オペレータはブレンドのサイズＳをサイズ入力表示２０１から入力する。すると、商品登録装置１は、上述したステップＳ６にてＹＥＳに分岐し、ステップＳ７からＳ８の処理を行う。この時、ＣＰＵ２７は、買上データの行番号１に既にＳ・ブレンドが登録されているため、買上データの行番号１の個数１に行番号２の個数１を加算し、行番号２のデータを削除する（図１１（ｄ）参照）。そして、ＣＰＵ２７は、買上データを参照して図１０（ｄ）に示す画面を表示する。図１０（ｄ）に示す画面では、１行目の「Ｓ・ブレンド」の個数が「２」になっている。
【００５６】
次に、３人目の顧客からブレンドのＳが注文されると、オペレータはブレンドに対応するプリセットキーを押下する。すると、商品登録装置１は、上述したステップＳ１０でＹＥＳに分岐してステップＳ２からＳ４の処理を行い、買上データの２行目にブレンドの商品番号「１１１１１」、個数「１」、サイズ情報「−」を記録する（図１１（ｅ）参照）。そして、ＣＰＵ２７は、買上データを参照して図１０（ｅ）に示す画面を表示する。図１０（ｅ）では、入力欄１０３と買上データ欄１０４の２行目に入力された商品の品名「ブレンド」とその個数「１」が表示されている。この時、ＣＰＵ２７は、買上データ欄１０４の２行目直下にサイズ入力表示２０１を表示する。
【００５７】
次に、オペレータはブレンドのサイズＳをサイズ入力表示２０１から入力する。すると、商品登録装置１は、上述したステップＳ６にてＹＥＳに分岐し、ステップＳ７からＳ８の処理を行う。この時、ＣＰＵ２７は、買上データの行番号１に既にＳ・ブレンドが登録されているため、買上データの行番号１の個数２に行番号２の個数１を加算し、行番号２のデータを削除する（図１１（ｆ）参照）。そして、ＣＰＵ２７は、買上データを参照して図１０（ｆ）に示す画面を表示する。図１０（ｆ）に示す画面では、１行目の「Ｓ・ブレンド」の個数が「３」になっている。
【００５８】
このように、一人の顧客が商品とサイズとを一度にオペレータに伝える注文の仕方であっても迅速な商品登録を行うことができる。また、サイズ毎にプリセットキーを割り当てる必要がないので、店員用表示器１８を比較的小さくすることができる。
【００５９】
このように、本実施形態によれば、サイズ情報毎に商品を分けてキーを割り振る必要がないので店員用表示器１８を比較的小さくすることができる。また、サイズ情報が商品名近傍に表示されるので選択操作の操作性が向上する。また、サイズ未入力であっても次の商品を登録することができるので、具体例１のように、サイズ指定せずに商品を次々に注文する顧客に対しても、スムーズに登録操作が可能になる。また、具体例２のように商品に続けてサイズを伝えて注文する顧客に対してもスムーズな登録操作が可能になる。つまり、顧客の注文の仕方に応じて登録操作を合わせることができるので、どのような注文形態であってもスムーズな登録操作が可能になる。
【００６０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６１】
例えば、本実施形態では、選択情報がサイズ情報であったが、トッピング、色、焼き加減、大盛りなどの他の情報であってもよい。
また、本実施形態では、選択情報がサイズ情報１つであったが、複数の選択情報を１つの商品に設定してもよい。
図１２は、複数の選択情報が設定されている場合の買上データエリア１０２の表示例である。
この図に示す例では、ハンバーガーのトッピングが選択情報であり、チーズやアボガド等のトッピングの有り無しを選択することができる。商品登録装置１は、まず、図１２（ａ）に示すように、複数あるうちの１つの選択情報であるチーズの有り無しを選択する背キーを表示する。そして、商品登録装置１は、図１２（ａ）でチーズの有り無しが選択されると、図１２（ｂ）に示すアボガド有り無しを選択するキーを表示する。つまりＣＰＵ２７（制御手段）は、複数の選択情報が設定されている商品が登録された場合には、いずれか１つの選択情報を表示し、当該選択情報が選択されると、次の選択情報を表示する。
これにより、選択忘れを防止することができる。また、オペレータは表示される内容を顧客に話すことで接客ができるので、オペレータは何を顧客に確認したら良いかを覚える必要がない。このため、新人や接客に不慣れなオペレータであってもスムーズな接客応対が可能になる。
なお、商品に複数の選択情報を設定する場合、商品登録装置１は、例えば、複数の選択情報を記憶する選択情報ファイルを更に設けてもよい。この場合、該選択情報ファイル中の選択情報を指定する情報を商品ファイル中の各商品に関連して設定する。商品登録装置１は、商品が登録された場合には、商品ファイル中の選択情報を指定する情報を元に、選択情報ファイルから選択情報を読み出す。
【００６２】
また、上記実施形態でのサイズ情報Ｓ，Ｍ，Ｌはサイズが異なると商品の値段が変わるような選択情報であったが、価格が変わらないが商品に付加できる、例えばクリーム多め、少なめ等のトッピング情報（選択情報）を表示選択できるようにしてもよい。
また、商品を入力する手段であるキー入力に加えて、商品に付されているバーコードを読み取ることで商品登録をするバーコードリーダを備えるようにしてもよい。
また、商品毎に選択情報であるサイズ情報Ｓ，Ｍ，Ｌを商品ファイルに直接記憶させるようにしてもよい。つまり、商品記憶手段が選択情報記憶手段を兼ねていてもよい。
【図面の簡単な説明】
【００６３】
【図１】本発明の一実施形態による商品登録装置の外観正面図および側面図である。
【図２】本実施形態における商品登録装置に内蔵される電気回路構成を示す系統ブロック図である。
【図３】本実施形態における商品ファイルのデータ構造及びデータ例を示す概略図である。
【図４】本実施形態におけるキーファイルのデータ構造及びデータ例を示す概略図である。
【図５】本実施形態における買上データのデータ構造を示す概略図である。
【図６】本実施形態における店員用表示器上に表示される登録画面例である。
【図７】本実施形態における商品登録装置の動作の概要を示すフローチャートである。
【図８】本実施形態における買上データエリアの表示例である。
【図９】本実施形態における買上データのデータ例である。
【図１０】本実施形態における買上データエリアの表示例である。
【図１１】本実施形態における買上データのデータ例である。
【図１２】複数の選択情報が設定されている場合の買上データエリアの表示例である。
【符号の説明】
【００６４】
１…商品登録装置  １７…入力キー  １８…店員用表示器  １９…顧客側表示器  ２３…印字部  ２５…時計部  ２７…ＣＰＵ  ２８…ＨＤＤ  ２９…ＲＡＭ  ３０…通信部  ４４…ブザー  １０１…プリセットキーエリア  １０２…買上データエリア  １０３…入力欄  １０４…買上データ欄  １０５…価格エリア  １０６…精算データエリア  ２０１…サイズ入力表示
【図１】
2010049566.tif 000003
【図２】
2010049566.tif 000004
【図３】
2010049566.tif 000005
【図４】
2010049566.tif 000006
【図５】
2010049566.tif 000007
【図６】
2010049566.tif 000008
【図７】
2010049566.tif 000009
【図８】
2010049566.tif 000010
【図９】
2010049566.tif 000011
【図１０】
2010049566.tif 000012
【図１１】
2010049566.tif 000013
【図１２】
2010049566.tif 000014